(57)【要約】【課題】無線リソース制御接続の再確立手順のための構成条件。【解決手段】さまざまな通信システムが、接続を適正に再確立するための技術およびデバイスの利益を享受できる。例えば、第３世代パートナーシッププロジェクトの通信システムが、無線リソース制御接続の再確立のための構成条件の利益を享受できる。本願方法にはユーザー機器による所定の条件の検出ステップが含まれ得る。本願方法には同様に、検出された所定の条件に基づいて、ネットワーク要素への標示の送信を開始するステップも含まれ得る。前記標示には、ユーザー機器にサービス提供しているセルの測定結果、近隣セルの測定結果、ランダムアクセス問題の標示、最大再伝送数に達したという無線リンク制御（ＲＬＣ）からの標示、またはそれらの任意の組合せが含まれ得る。【選択図】図１
2017507580.tif 000002
【特許請求の範囲】
【請求項１】
ユーザー機器により、所定の条件を検出するステップと；
前記検出された所定の条件に基づいて、ネットワーク要素への標示の送信を開始するステップと、
を含む方法であって、
前記標示は、
前記ユーザー機器にサービス提供しているセルの測定結果、
近隣セルの測定結果、
ランダムアクセス問題の標示、
最大再伝送数に達したという無線リンク制御（ＲＬＣ）からの標示、
のうちの少なくとも１つを含む、方法。
【請求項２】
前記検出された所定の条件に基づいて、無線リソース制御接続の再確立をスタートするステップをさらに含む請求項１に記載の方法。
【請求項３】
前記標示が送られた後、送られた標示の確認または前記ネットワーク要素からの応答メッセージを待機するステップをさらに含む、請求項１または２に記載の方法。
【請求項４】
前記無線リソース制御接続の再確立を前記スタートするステップが、前記待機ステップの後に実施される、請求項３に記載の方法。
【請求項５】
前記所定の条件は、前記ユーザー機器にサービス提供するセルの条件、無線条件、品質関連条件、またはデータ通信条件のうちの少なくとも１つを含む、請求項１ないし４のいずれか１項に記載の方法。
【請求項６】
前記無線条件は、基準信号受信電力を含む、請求項５に記載の方法。
【請求項７】
前記無線条件は、最後のＸ秒間における伝送および／または受信の有無を含み、
Ｘは予め定義された秒数である、
請求項５または６に記載の方法。
【請求項８】
前記標示が、前記所定の条件が満たされたことを示すように構成されている、請求項１ないし７のいずれか１項に記載の方法。
【請求項９】
前記標示は、前記ユーザー機器にサービス提供するセルまたは前記ユーザー機器にサービス提供するセルの近隣セルの少なくとも１つの測定結果を含む、請求項１ないし８のいずれか１項に記載の方法。
【請求項１０】
前記標示は、データ活動関連情報を含む、請求項１ないし９のいずれか１項に記載の方法。
【請求項１１】
前記標示は、ランダムアクセス問題の標示を含む、請求項１ないし１０のいずれか１項に記載の方法。
【請求項１２】
前記ランダムアクセス問題の標示は、メディア・アクセス制御（ＭＡＣ）からのものである、請求項１１に記載の方法。
【請求項１３】
前記条件は、完全性保護の障害を含む、請求項１ないし１２のいずれか１項に記載の方法。
【請求項１４】
前記標示が、遅延した無線リソース制御接続の再確立のためのものである、請求項１ないし１３のいずれか１項に記載の方法。
【請求項１５】
前記所定の条件が、異なるアクセスポイントからリソースを提供する二次セルまたはセカンダリーｅＮＢに関連している、請求項１ないし１４のいずれか１項に記載の方法。
【請求項１６】
前記所定の条件は、セカンダリーｅＮＢのランダムアクセス障害が含み、
前記最大再伝送数に達したという無線リンク制御（ＲＬＣ）からの前記標示は、前記セカンダリーｅＮＢからのものである、請求項１ないし１５のいずれか１項に記載の方法。
【請求項１７】
ネットワーク要素においてユーザー機器からの標示を受信するステップであって、前記標示は前記ユーザー機器が所定の条件を検出したことを示すものである、ステップと、
前記標示に応答して前記ネットワーク要素からの応答メッセージを提供するステップであって、前記応答メッセージが、前記ユーザー機器に無線リソース制御接続の再確立をスタートさせるように構成されている、ステップと、を含む方法。
【請求項１８】
前記所定の条件は、
前記ユーザー機器にサービス提供するセルの条件、
無線条件、
品質関連条件、
データ通信条件
のうちの少なくとも１つを含む、請求項１７に記載の方法。
【請求項１９】
前記無線条件は、基準信号受信電力を含む、請求項１８に記載の方法。
【請求項２０】
前記無線条件は、最後のＸ秒間（Ｘは予め定義された秒数）における前記伝送および／または受信の有無を含む、請求項１８または１９に記載の方法。
【請求項２１】
前記標示が、前記所定の条件が満たされたことを示すように構成されている、請求項１７ないし２０のいずれか１項に記載の方法。
【請求項２２】
前記標示は、前記ユーザー機器にサービス提供するセルまたは前記ユーザー機器にサービス提供する前記セルの近隣セルの少なくとも１つの測定結果を含む、請求項１７ないし２１のいずれか１項に記載の方法。
【請求項２３】
前記標示は、データ活動関連情報を含む、請求項１７ないし２２のいずれか１項に記載の方法。
【請求項２４】
前記標示は、ランダムアクセス問題の標示を含む、請求項１７ないし２３のいずれか１項に記載の方法。
【請求項２５】
前記ランダムアクセス問題の標示が、メディア・アクセス制御（ＭＡＣ）に由来する、請求項２４に記載の方法。
【請求項２６】
前記条件は、完全性保護の障害を含む、請求項１７ないし２５のいずれか１項に記載の方法。
【請求項２７】
前記標示が、遅延した無線リソース制御接続の再確立のためのものである、請求項１７ないし２６のいずれか１項に記載の方法。
【請求項２８】
前記所定の条件が、異なるアクセスポイントからリソースを提供する二次セルまたはセカンダリーｅＮＢに関連している、請求項１７ないし２７のいずれか１項に記載の方法。
【請求項２９】
前記所定の条件は、セカンダリーｅＮＢのランダム・アクセス障害を含み、
前記最大再伝送数に達したという無線リンク制御（ＲＬＣ）からの前記標示が、前記セカンダリーｅＮＢからのものである、請求項１７ないし２８のいずれか１項に記載の方法。
【請求項３０】
前記標示は、
前記ユーザー機器にサービス提供しているセルの測定結果、
近隣セルの測定結果、
ランダムアクセス問題の標示、
最大再伝送数に達したという無線リンク制御（ＲＬＣ）からの標示、
のうちの少なくとも１つを含む、
請求項１７ないし２９のいずれか１項に記載の方法。
【請求項３１】
ハードウェア内で実行された場合に１つのプロセスを実施する命令を用いて符号化される固定コンピュータ可読媒体において、前記プロセスには請求項１ないし３０のいずれか１項に記載の前記方法が含まれる、固定コンピュータ可読媒体。
【請求項３２】
１つのプロセスを実施するための命令を符号化するコンピュータプログラム製品において、前記プロセスには請求項１ないし３０のいずれか１項に記載の前記方法が含まれる、コンピュータプログラム製品。
【請求項３３】
少なくとも１つのプロセッサと、
コンピュータプログラムコードを含む少なくとも１つのメモリと、を含む装置において、前記少なくとも１つのメモリおよび前記コンピュータプログラムコードが、前記少なくとも１つのプロセッサを用いて、前記装置に少なくとも、
ユーザー機器により、所定の条件を検出させ、
前記検出された所定の条件に基づいて、ネットワーク要素への標示の送信を開始させるように構成されており、
前記標示は、
前記ユーザー機器にサービス提供しているセルの測定結果、
近隣セルの測定結果、
ランダムアクセス問題の標示、
最大再伝送数に達したという無線リンク制御（ＲＬＣ）からの標示、
のうちの少なくとも１つを含む、装置。
【請求項３４】
前記少なくとも１つのメモリおよび前記コンピュータプログラムコードが、少なくとも１つのプロセッサを用いて、前記検出された所定の条件に基づいて、前記装置に少なくとも無線リソース制御接続の再確立をスタートさせるように構成されている、請求項３３に記載の装置。
【請求項３５】
前記少なくとも１つのメモリおよび前記コンピュータプログラムコードが、前記少なくとも１つのプロセッサを用いて、前記標示が送られた後、前記装置に少なくとも送られた標示の確認または前記ネットワーク要素からの応答メッセージを待機させるように構成されている、請求項３３または３４に記載の装置。
【請求項３６】
少なくとも１つのメモリおよびコンピュータプログラムコードが、少なくとも１つのプロセッサを用いて、待機ステップ後に、前記装置に少なくとも前記無線リソース制御接続の再確立をスタートさせるように構成されている、請求項３５に記載の装置。
【請求項３７】
前記所定の条件は、前記ユーザー機器にサービス提供するセルの条件、無線条件、品質関連条件、またはデータ通信条件のうちの少なくとも１つを含む、請求項３３ないし３６のいずれか１項に記載の装置。
【請求項３８】
前記無線条件は、基準信号受信電力を含む、請求項３７に記載の装置。
【請求項３９】
前記無線条件は、最後のＸ秒間における前記伝送および／または受信の有無を含み、
Ｘは所定の秒数である、
請求項３７または３８に記載の装置。
【請求項４０】
前記標示が、前記所定の条件が満たされたことを示すように構成されている、請求項３３ないし３９のいずれか１項に記載の装置。
【請求項４１】
前記標示は、前記ユーザー機器にサービス提供するセルまたは前記ユーザー機器にサービス提供する前記セルの近隣セルの少なくとも１つの測定結果を含む、請求項３３ないし４０のいずれか１項に記載の装置。
【請求項４２】
前記標示は、データ活動関連情報を含む、請求項３３ないし４１のいずれか１項に記載の装置。
【請求項４３】
前記標示は、ランダムアクセス問題の標示を含む、請求項３３ないし４２のいずれか１項に記載の装置。
【請求項４４】
前記ランダムアクセス問題の標示が、メディア・アクセス制御（ＭＡＣ）からのものである、請求項４３に記載の装置。
【請求項４５】
前記条件は、完全性保護の障害を含む、請求項３３ないし４４のいずれか１項に記載の装置。
【請求項４６】
前記標示が、遅延した無線リソース制御接続の再確立のためのものである、請求項３３ないし４５のいずれか１項に記載の装置。
【請求項４７】
前記所定の条件が、異なるアクセスポイントからリソースを提供する二次セルまたはセカンダリーｅＮＢに関連している、請求項３３ないし４６のいずれか１項に記載の装置。
【請求項４８】
前記所定の条件は、セカンダリーｅＮＢのランダムアクセス障害を含み、
前記最大再伝送数に達したという無線リンク制御（ＲＬＣ）からの前記標示が前記セカンダリーｅＮＢからのものである、請求項３３ないし４７のいずれか１項に記載の装置。
【請求項４９】
少なくとも１つのプロセッサと、
コンピュータプログラムコードを含む少なくとも１つのメモリと、
を含む装置において、
前記少なくとも１つのメモリおよび前記コンピュータプログラムコードが、前記少なくとも１つのプロセッサを用いて、前記装置に少なくとも、
ネットワーク要素においてユーザー機器から、該ユーザー機器が所定の条件を検出したことを示す標示を受信させ、
前記標示に応答して前記ネットワーク要素から、前記ユーザー機器に無線リソース制御接続の再確立をスタートさせるように構成されている応答メッセージを提供させる、
ように構成されている、装置。
【請求項５０】
前記所定の条件は、前記ユーザー機器にサービス提供するセルの条件、無線条件、品質関連条件、またはデータ通信条件のうちの少なくとも１つを含む、請求項４９に記載の装置。
【請求項５１】
前記無線条件は、基準信号受信電力を含む、請求項５０に記載の装置。
【請求項５２】
前記無線条件は、最後のＸ秒間における前記伝送および／または受信の有無が含み、
Ｘは所定の秒数である、
請求項５０または５１に記載の装置。
【請求項５３】
前記標示が、前記所定の条件が満たされたことを示すように構成されている、請求項４９ないし５２のいずれか１項に記載の装置。
【請求項５４】
前記標示は、前記ユーザー機器にサービス提供する前記セルまたはユーザー機器にサービス提供する前記セルの近隣セルの少なくとも１つの測定結果を含む、請求項４９ないし５３のいずれか１項に記載の装置。
【請求項５５】
前記標示は、データ活動関連情報を含む、請求項４９ないし５４のいずれか１項に記載の装置。
【請求項５６】
前記標示は、ランダムアクセス問題の標示を含む、請求項４９ないし５５のいずれか１項に記載の装置。
【請求項５７】
前記ランダムアクセス問題の標示が、メディア・アクセス制御（ＭＡＣ）からのものである、請求項５６に記載の装置。
【請求項５８】
前記条件は、完全性保護の障害を含む、請求項４９ないし５７のいずれか１項に記載の装置。
【請求項５９】
前記標示が、遅延した無線リソース制御接続の再確立のためのものである、請求項４９ないし５８のいずれか１項に記載の装置。
【請求項６０】
前記所定の条件が、異なるアクセスポイントからリソースを提供する二次セルまたはセカンダリーｅＮＢに関連している、請求項４９ないし５９のいずれか１項に記載の装置。
【請求項６１】
前記所定の条件は、セカンダリーｅＮＢのランダムアクセス障害を含み、
前記最大再伝送数に達したという無線リンク制御（ＲＬＣ）からの前記標示が前記セカンダリーｅＮＢからのものである、請求項４９ないし６０のいずれか１項に記載の装置。
【請求項６２】
前記標示には、
前記ユーザー機器にサービス提供しているセルの測定結果、
近隣セルの測定結果、
ランダムアクセス問題の標示、
最大再伝送数に達したという無線リンク制御（ＲＬＣ）からの標示、
のうちの少なくとも１つを含む、請求項４９ないし６１のいずれか１項に記載の装置。
【請求項６３】
ユーザー機器により所定の条件を検出するための手段と、
前記検出された所定の条件に基づいて、ネットワーク要素への標示の送信を開始するための手段と、
を含む装置であって、
前記標示には、
前記ユーザー機器にサービス提供しているセルの測定結果、
近隣セルの測定結果、
ランダムアクセス問題の標示、
最大再伝送数に達したという無線リンク制御（ＲＬＣ）からの標示、
のうちの少なくとも１つを含む、装置。
【請求項６４】
前記検出された所定の条件に基づいて、無線リソース制御接続の再確立をスタートするための手段をさらに含む請求項６３に記載の装置。
【請求項６５】
前記標示が送られた後、送られた標示の確認または前記ネットワーク要素からの応答メッセージを待機するための手段をさらに含む請求項６３または６４に記載の装置。
【請求項６６】
前記無線リソース制御接続の再確立をスタートするための前記手段が、前記待機ステップの後に前記無線リソース制御接続の再確立をスタートするように構成されている、請求項６５に記載の装置。
【請求項６７】
前記所定の条件は、前記ユーザー機器にサービス提供するセルの条件、無線条件、品質関連条件、またはデータ通信条件のうちの少なくとも１つを含む、請求項６３ないし６６のいずれか１項に記載の装置。
【請求項６８】
前記無線条件は、基準信号受信電力が含む、請求項６７に記載の装置。
【請求項６９】
前記無線条件は、最後のＸ秒間における前記伝送および／または受信の有無を含み、
Ｘは予め定義された秒数である、
請求項６７または６８に記載の装置。
【請求項７０】
前記標示が、前記所定の条件が満たされたことを示すように構成されている、請求項６３ないし６９のいずれか１項に記載の装置。
【請求項７１】
前記標示は、前記ユーザー機器にサービス提供するセルまたは前記ユーザー機器にサービス提供する前記セルの近隣セルの少なくとも１つの測定結果を含む、請求項６３ないし７０のいずれか１項に記載の装置。
【請求項７２】
前記標示は、データ活動関連情報を含む、請求項６３ないし７１のいずれか１項に記載の装置。
【請求項７３】
前記標示は、ランダムアクセス問題の標示を含む、請求項６３ないし７２のいずれか１項に記載の装置。
【請求項７４】
前記ランダムアクセス問題の標示が、メディア・アクセス制御（ＭＡＣ）からのものである、請求項７３に記載の装置。
【請求項７５】
前記条件は、完全性保護の障害を含む、請求項６３ないし７４のいずれか１項に記載の装置。
【請求項７６】
前記標示が、遅延した無線リソース制御接続の再確立のためのものである、請求項６３ないし７５のいずれか１項に記載の装置。
【請求項７７】
前記所定の条件が、異なるアクセスポイントからリソースを提供する二次セルまたはセカンダリーｅＮＢに関連している、請求項６３ないし７６のいずれか１項に記載の装置。
【請求項７８】
前記所定の条件は、セカンダリーｅＮＢのランダムアクセス障害を含み、
前記最大再伝送数に達したという無線リンク制御（ＲＬＣ）からの前記標示が前記セカンダリーｅＮＢからのものである、請求項６３ないし７７のいずれか１項に記載の装置。
【請求項７９】
ネットワーク要素においてユーザー機器からの標示を受信するための手段であって、前記標示は前記ユーザー機器が所定の条件を検出したことを示すものである、手段と、
前記標示に応答して前記ネットワーク要素からの応答メッセージを提供するための手段であって、前記応答メッセージが、前記ユーザー機器に無線リソース制御接続の再確立をスタートさせるように構成されている、手段と、
を含む、装置。
【請求項８０】
前記所定の条件は、前記ユーザー機器にサービス提供するセルの条件、無線条件、品質関連条件、またはデータ通信条件のうちの少なくとも１つを含む、請求項７９に記載の装置。
【請求項８１】
前記無線条件は、基準信号受信電力を含む、請求項８０に記載の装置。
【請求項８２】
前記無線条件は、最後のＸ秒間における前記伝送および／または受信の有無が含み、
Ｘは所定の秒数である、
請求項８０または８１に記載の装置。
【請求項８３】
前記標示が、前記所定の条件が満たされたことを示すように構成されている、請求項７９ないし８２のいずれか１項に記載の装置。
【請求項８４】
前記標示は、前記ユーザー機器にサービス提供するセルまたは前記ユーザー機器にサービス提供する前記セルの近隣セルの少なくとも１つの測定結果を含む、請求項７９ないし８３のいずれか１項に記載の装置。
【請求項８５】
前記標示は、データ活動関連情報を含む、請求項７９ないし８４のいずれか１項に記載の装置。
【請求項８６】
前記標示は、ランダムアクセス問題の標示を含む、請求項７９ないし８５のいずれか１項に記載の装置。
【請求項８７】
前記ランダムアクセス問題の標示が、メディア・アクセス制御（ＭＡＣ）からのものである、請求項８６に記載の装置。
【請求項８８】
前記条件は、完全性保護の障害を含む、請求項７９ないし８６のいずれか１項に記載の装置。
【請求項８９】
前記標示が、遅延した無線リソース制御接続の再確立のためのものである、請求項７９ないし８８のいずれか１項に記載の装置。
【請求項９０】
前記所定の条件が、異なるアクセスポイントからリソースを提供する二次セルまたはセカンダリーｅＮＢに関連している、請求項７９ないし８９のいずれか１項に記載の装置。
【請求項９１】
前記所定の条件はセカンダリーｅＮＢのランダムアクセス障害を含み、
前記最大再伝送数に達したという無線リンク制御（ＲＬＣ）からの前記標示が前記セカンダリーｅＮＢからのものである、請求項７９ないし９０のいずれか１項に記載の方法。
【請求項９２】
前記標示には、
前記ユーザー機器にサービス提供しているセルの測定結果、
近隣セルの測定結果、
ランダムアクセス問題の標示、
最大再伝送数に達したという無線リンク制御（ＲＬＣ）からの標示、
のうちの少なくとも１つを含む、請求項７７ないし９１のいずれか１項に記載の方法。
【発明の詳細な説明】
【技術分野】
【０００１】
本出願は、全体が参照として本明細書中に組み込まれる２０１４年１月３１日出願の米国仮特許出願第６１／９３４，３７２号（ＵＳ．Ｐｒｏｖｉｓｉｏｎａｌ  Ｐａｔｅｎｔ  Ａｐｐｌｉｃａｔｉｏｎ  Ｎｏ．６１／９３４，３７２）に関連し、その利益および優先権を主張するものである。
【０００２】
さまざまな通信システムが、接続を適正に再確立するための技術およびデバイスの利益を享受できる。例えば、第３世代パートナーシッププロジェクトの通信システムが、無線リソース制御接続の再確立のための構成条件の利益を享受できる。
【背景技術】
【０００３】
第３世代パートナーシッププロジェクト（３ＧＰＰ）は、将来のネットワーク展開シナリオにおいて移動性をよりロバストなものにするための異機種ネットワーク（ＨｅｔＮｅｔ）の移動性の増強を含む。ＨｅｔＮｅｔはマクロセルおよびピコセルなどの展開セルタイプの混合物を有するネットワークを意味し得る。
【０００４】
その上、３ＧＰＰは、低頻度および高頻度の小規模データ転送の場合に、シグナリングオーバーヘッドおよびユーザー機器（ＵＥ）の電力消費量を最小限に抑えることを目的とする。このようなトラフィックは、マシン型通信（ＭＴＣ）デバイスならびに背景トラフィックのみを生成する場合のスマートホンに典型的なものである。トラフィックバーストの到着間隔は、大きく変動し得る。例えば、ＭＴＣデバイスについては、トラフィックバーストの到着間隔は、数十秒、分、日さらには数十週でさえあり得る。これとは対照的に、スマートホンの場合、間隔は秒単位または十秒単位で計数され得る。
【０００５】
１バーストあたりのデータ量は、少ないものであり得、その結果、転送されるペイロードデータに比べて高いシグナリングオーバーヘッドがもたらされ得る。このような不規則なトラフィックにおけるシグナリングオーバーヘッドを最小限に抑えるために、接続を解除するかまたはユーザー機器を接続モードに保つかを決定する場合の入力として、トラフィックパターンに加えて移動性情報を使用することができる。
【０００６】
無線リソース制御（ＲＲＣ）接続のネットワーク援用再確立には、無線リンク障害（ＲＬＦ）および／またはハンドオーバー障害（ＨＯＦ）から急速に回復し、アプリケーション層に対する影響を最小限に抑えるためのメカニズムを含む必要がある場合がある。従来、既存のベースラインおよび他のメカニズムに比べた改善をいかに定量化するかは不確実であった。例えば、従来、再確立の遅延に最も寄与するのは何か、あるいは再確立に起因する中断をいかにして削減できるかは不確実であった。
【０００７】
再確立手順の増強のための１つのオプションは、再確立が成功しないと思われるセルをＵＥが選択できるということにある。このような挙動は、マイナスのエンドユーザーインパクトおよびキーパフォーマンス指標（ＫＰＩ）を有し得る。
【０００８】
測定報告およびＲＲＣ接続の再確立手順は、全体が参照として本明細書に援用されている３ＧＰＰ技術仕様書（ＴＳ）３６．３３１中で規定されている。第５．３．７項および５．５．５項は、詳細な例を提供する。
【０００９】
詳細には、このようなアプローチでは、ＵＥは測定報告向けに構成されている。ネットワークは、例えば、新しいＲＲＣ接続再構成またはハンドオーバー手順を実施することが有益と考えられるか否かを決定するために、報告を使用する。ＵＥは、無線リンク障害、ハンドオーバー障害、進化型ユニバーサル地上無線アクセス（Ｅ−ＵＴＲＡ）障害からの移動性、下位層からの完全性検査障害の標示またはＲＲＣ接続再構成障害を検出した時点で、ＲＲＣ接続の再確立手順を実施する。
【発明の概要】
【００１０】
第１の実施形態によると、方法は、ユーザー機器により所定の条件を検出するステップを含み得る。方法には同様に、検出された所定の条件に基づいて、遅延した無線リソース制御接続を再確立するための標示のネットワーク要素に対する送信を開始するステップまたは無線リソース制御接続の再確立をスタートするステップのうちの少なくとも１つが含まれることができる。
【００１１】
１つの変形形態において、方法には、標示が送られた後、送られた標示の確認またはネットワーク要素からの応答メッセージを待機するステップも含まれ得る。
【００１２】
１つの変形形態において、無線リソース制御接続の再確立をスタートするステップは、待機ステップの後に実施され得る。
【００１３】
１つの変形形態において、所定の条件には、ユーザー機器にサービス提供するセルの条件、無線条件、品質関連条件、またはデータ通信条件のうちの少なくとも１つが含まれ得る。
【００１４】
１つの変形形態において、標示は、所定の条件が満たされたことを示すように構成され得る。
【００１５】
１つの変形形態において、標示には、ユーザー機器にサービス提供するセルまたはユーザー機器にサービス提供するセルの近隣セルの少なくとも１つの測定結果が含まれ得る。
【００１６】
１つの変形形態において、標示には、データ活動関連情報が含まれる。
【００１７】
第２の実施形態によると、方法は、ネットワーク要素においてユーザー機器からの標示を受信するステップを含み得る。この標示はユーザー機器が所定の条件を検出したことを示すことができる。方法は、同様に標示に応答してネットワーク要素からの応答メッセージを提供するステップも含むことができ、ここで応答メッセージは、ユーザー機器に無線リソース制御接続の再確立をスタートさせるように構成され得る。
【００１８】
１つの変形形態において、所定の条件には、ユーザー機器にサービス提供するセルの条件、無線条件、品質関連条件、またはデータ通信条件のうちの少なくとも１つが含まれ得る。
【００１９】
１つの変形形態において、標示は、所定の条件が満たされたことを示すように構成され得る。
【００２０】
１つの変形形態において、標示には、ユーザー機器にサービス提供するセルまたはユーザー機器にサービス提供するセルの近隣セルの少なくとも１つの測定結果が含まれ得る。
【００２１】
１つの変形形態において、標示には、データ活動関連情報が含まれ得る。
【００２２】
第３の実施形態においては、ハードウェア内で実行された場合に１つのプロセスを実施する命令を用いて、固定コンピュータ可読媒体を符号化することができる。このプロセスには、第１および／または第２の実施形態に記載の方法がその変形形態のいずれかの形で含まれ得る。
【００２３】
第４の実施形態においては、コンピュータプログラム製品が、ハードウェア内で実行された場合に１つのプロセスを実施する命令を符号化することができる。このプロセスには、第１および／または第２の実施形態に記載の方法がその変形形態のいずれかの形で含まれ得る。
【００２４】
第５の実施形態によると、装置は、少なくとも１つのプロセッサと、コンピュータプログラムコードを含む少なくとも１つのメモリとを含むことができる。少なくとも１つのメモリおよびコンピュータプログラムコードは、少なくとも１つのプロセッサを用いて、装置に少なくとも、ユーザー機器による所定の条件の検出を行わせるように構成され得る。少なくとも１つのメモリおよびコンピュータプログラムコードは、同様に、少なくとも１つのプロセッサを用いて、装置に少なくとも、検出された所定の条件に基づいて、遅延した無線リソース制御接続の再確立のためのネットワーク要素への標示の送信を開始させるか、あるいは無線リソース制御接続の再確立をスタートさせるかのうちの少なくとも１つを行うように構成され得る。
【００２５】
１つの変形形態において、少なくとも１つのメモリおよびコンピュータプログラムコードは、少なくとも１つのプロセッサを用いて、標示が送られた後、装置に少なくとも、送られた標示の確認またはネットワーク要素からの応答メッセージを待機させるように構成され得る。
【００２６】
１つの変形形態において、少なくとも１つのメモリおよびコンピュータプログラムコードは、少なくとも１つのプロセッサを用いて、待機ステップ後に、装置に少なくとも、無線リソース制御接続の再確立をスタートさせるように構成され得る。
【００２７】
１つの変形形態において、所定の条件には、ユーザー機器にサービス提供するセルの条件、無線条件、品質関連条件、またはデータ通信条件のうちの少なくとも１つが含まれ得る。
【００２８】
その標示は、所定の条件が満たされたことを示すように構成され得る。
【００２９】
１つの変形形態において、その標示には、ユーザー機器にサービス提供するセルまたはユーザー機器にサービス提供するセルの近隣セルの少なくとも１つの測定結果が含まれ得る。
【００３０】
１つの変形形態において、その標示には、データ活動関連情報が含まれ得る。
【００３１】
第６の実施形態によると、装置は、少なくとも１つのプロセッサと、コンピュータプログラムコードを含む少なくとも１つのメモリとを含むことができる。少なくとも１つのメモリおよびコンピュータプログラムコードは、少なくとも１つのプロセッサを用いて、装置に少なくとも、ネットワーク要素においてユーザー機器からの標示を受信させるように構成され得る。この標示はユーザー機器が所定の条件を検出したことを示すことができる。少なくとも１つのメモリおよびコンピュータプログラムコードは、同様に、少なくとも１つのプロセッサを用いて、装置に少なくとも、標示に応答してネットワーク要素からの応答メッセージを提供させるように構成され得る。応答メッセージは、ユーザー機器に無線リソース制御接続の再確立をスタートさせるように構成され得る。
【００３２】
１つの変形形態において、所定の条件には、ユーザー機器にサービス提供するセルの条件、無線条件、品質関連条件、またはデータ通信条件のうちの少なくとも１つが含まれ得る。
【００３３】
１つの変形形態において、標示は、所定の条件が満たされたことを示すように構成され得る。
【００３４】
１つの変形形態において、標示には、ユーザー機器にサービス提供するセルまたはユーザー機器にサービス提供するセルの近隣セルの少なくとも１つの測定結果が含まれ得る。
【００３５】
１つの変形形態において、標示には、データ活動関連情報が含まれ得る。
【００３６】
第７の実施形態によると、装置は、ユーザー機器により所定の条件を検出するための手段を含むことができる。装置は同様に、検出された所定の条件に基づいて、遅延した無線リソース制御接続の再確立のためのネットワーク要素への標示の送信を開始すること、または無線リソース制御接続の再確立をスタートさせることのうちの少なくとも１つを行うための手段も含むことができる。
【００３７】
１つの変形形態において、装置は、標示が送られた後、送られた標示の確認またはネットワーク要素からの応答メッセージを待機するための手段をさらに含むことができる。
【００３８】
１つの変形形態において、無線リソース制御接続の再確立をスタートするための手段は、待機ステップの後に無線リソース制御接続の再確立をスタートするように構成され得る。
【００３９】
１つの変形形態において、所定の条件には、ユーザー機器にサービス提供するセルの条件、無線条件、品質関連条件、またはデータ通信条件のうちの少なくとも１つが含まれ得る。
【００４０】
１つの変形形態において、標示は、所定の条件が満たされたことを示すように構成され得る。
【００４１】
１つの変形形態において、標示には、ユーザー機器にサービス提供するセルまたはユーザー機器にサービス提供するセルの近隣セルの少なくとも１つの測定結果が含まれ得る。
【００４２】
１つの変形形態において、標示には、データ活動関連情報が含まれ得る。
【００４３】
第８の実施形態によると、装置は、ネットワーク要素においてユーザー機器からの標示を受信するための手段を含むことができる。この標示はユーザー機器が所定の条件を検出したことを示し得る。装置は同様に、標示に応答してネットワーク要素からの応答メッセージを提供するための手段を含み得る。この応答メッセージは、ユーザー機器に無線リソース制御接続の再確立をスタートさせるように構成され得る。
【００４４】
１つの変形形態において、所定の条件には、ユーザー機器にサービス提供するセルの条件、無線条件、品質関連条件、またはデータ通信条件のうちの少なくとも１つが含まれ得る。
【００４５】
１つの変形形態において、標示は、所定の条件が満たされたことを示すように構成され得る。
【００４６】
１つの変形形態において、標示には、ユーザー機器にサービス提供するセルまたはユーザー機器にサービス提供するセルの近隣セルの少なくとも１つの測定結果が含まれ得る。
【００４７】
１つの変形形態において、標示には、データ活動関連情報が含まれ得る。
【００４８】
第９の実施形態によると、システムは、第５および第６の実施形態の装置を含むことができる。同様にして、第１０の実施形態によると、システムは、第７および第８の実施形態の装置を含むことができる。
【００４９】
本発明を適正に理解するためには、添付図面を参照すべきである。
【図面の簡単な説明】
【００５０】
【図１】ある実施形態にしたがう方法を図示する。
【図２】ある実施形態にしたがう信号流れ図を図示する。
【図３】ある実施形態にしたがうシステムを図示する。
【発明を実施するための形態】
【００５１】
ある実施形態は、最適化された無線リソース制御（ＲＲＣ）接続の再確立を提供する。ある実施形態は、さまざまな通信システムおよびシナリオに対して適用可能であり得る。例えば、ある実施形態は、スモールセルおよびデュアルコネクティビティおよびキャリヤアグリゲーションシナリオに関連するものであり得る。
【００５２】
無線リソース制御接続の再確立手順の中には、さまざまなフィーチャを含み入れることができる。例えば、ＲＲＣ接続の再確立手順を開始するためには、以下のことを考慮し得る。ＵＥは、ＲＲＣ接続の再確立手順をトリガーすると考えられる１つの条件を伴って構成され得る。次に、その条件がトリガーされた後、ＵＥはネットワーク（ＮＷ）に対して標示を送りかつ／またはＲＲＣ接続の再確立手順をスタートすることができる。ＵＥがネットワークに対し標示を送った場合、送信された標示の確認またはＮＷからの応答メッセージを待機する必要がある場合がある。
【００５３】
ＲＲＣ接続の再確立をトリガーするためには、さまざまな条件が使用可能である。例えばＲＲＣ接続の再確立をトリガーするための条件は、例えば一次セル（ＰＣｅｌｌ）、二次セル（ＳＣｅｌｌ）、アグリゲーテッド・セル、マスターおよびセカンダリーｅＮＢ、およびデュアルコネクティビティに関係し得る。ＰＣｅｌｌおよびＳＣｅｌｌは典型的に物理的に同じ基地局内に位置設定され得、マスターｅＮＢおよびセカンダリーｅＮＢは、物理的に異なる基地局内に位置設定され得る。
【００５４】
より詳細には、各ＵＥは、一次セルまたはＰＣｅｌｌとしても公知の一次コンポーネントキャリヤを伴って構成され得る。他のコンポーネントキャリヤ（ＣＣｓ）は全て、二次セルまたはＳＣｅｌｌｓとしても公知の二次コンポーネントキャリヤとして構成され得る。換言すると、各々のＬＴＥ−Ａｄｖａｎｃｅｄユーザー機器について、単一のＣＣをＵＥの一次セル（ＰＣｅｌｌ）として定義づけすることができる。他のＵＥは必ずしも、互いの場合と同じＣＣをＰＣｅｌｌについて使用する必要は無い。ＰＣｅｌｌを端末のためのアンカーキャリヤとみなすことができ、したがってこれを無線リンク障害の監視および類似のフィーチャのために使用することができる。ＵＥのために２つ以上のＣＣが構成されている場合、追加のＣＣをその特定のＵＥ用の二次セル（ＳＣｅｌｌｓ）として表示することができる。こうして、同じＣＣを１つのＵＥのためのＰＣｅｌｌおよび別のＵＥのためのＳＣｅｌｌとすることができる。
【００５５】
さらに、概してデュアルコネクティビティとは、ＲＲＣ＿ＣＯＮＮＥＣＴＥＤにある間に非理想バックホールを用いて互いに接続されているマスターおよびセカンダリーｅＮＢと呼ぶことのできる少なくとも２つの異なるネットワークポイントによって提供される無線リソースを、所与のＵＥが消費するオペレーションを意味し得る。Ｘ２インターフェースは、強化型ユニバーサル地上無線アクセスネットワーク（Ｅ−ＵＴＲＡＮ）アーキテクチャ内でＭｅＮＢとＳｅＮＢの間のインターフェースとして役立ち得る。
【００５６】
ＳＣｅｌｌトリガー条件が満たされた場合には、ＲＲＣ接続の再確立をＰＣｅｌｌについて行うことができる。同様にして、ＳｅＮＢについてのトリガーが満たされた場合には、ＭｅＮＢについてＲＲＣ接続の再確立を行うことができる。
【００５７】
ＵＥは、ＵＥがＳＣｅｌｌをサポートすることを標示することができる。例えば、ＳＣｅｌｌに対するサポートは、ＵＥケイパビリティメッセージ中に標示され得る。その場合、ＵＥはＳＣｅｌｌを測定し、その後トリガー条件が満たされているか否かを標示することができる。ＵＥは同様に、ＰＣｅｌｌとＳＣｅｌｌの両方を測定し、トリガー条件が満たされた時点でそれを標示することができると考えられる。こうして、トリガー条件はＰＣｅｌｌおよびＳＣｅｌｌの両方またはＰＣｅｌｌのみまたはＳＣｅｌｌのみに関係し得る。
【００５８】
付加的にまたは代替的に、ＲＲＣ接続の再確立をトリガーするための条件は、例えば、基準信号受信電力（ＲＳＲＰ）および受信信号強度インジケータ（ＲＳＳＩ）などの無線条件および基準信号受信品質（ＲＳＲＱ）、チャネル品質インジケータ（ＣＱＩ）などの品質関連条件、あるいは同様の測定値に関係することができる。付加的にまたは代替的に、ＲＲＣ接続の再確立をトリガーするための条件は、例えば、データ伝送および／または受信活動に関係し得る。例えば、最後のＸ秒間（Ｘは予め定義された秒数である）に伝送および／または受信が無かった場合には、再確立を実施する必要は無いことがありえる。
【００５９】
トリガーは、例えば測定値がトリガー条件を満たすための閾値／絶対値よりも高い／低い場合など、無線条件に関係することができると考えられる。
【００６０】
キャリヤアグリゲーション（ＣＡ）が構成される場合、ＵＥはネットワークの１つの無線リソース制御（ＲＲＣ）接続しか有していない場合がある。ＲＲＣ接続確立／再確立／ハンドオーバーにおいて、１つのサービス提供セルが、トラッキングエリアアイデンティティ（ＴＡＩ）などのネットワークアクセス層（ＮＡＳ）移動性情報を提供する。ＲＲＣ接続の再確立／ハンドオーバーにおいては、１つのサービス提供セルが、セキュリティ入力を提供する。このセルは、一次セル（ＰＣｅｌｌ）と呼ぶことができる。ＵＥのケイパビリティに応じて、二次セル（ＳＣｅｌｌｓ）を、ＰＣｅｌｌと共に１セットのサービス提供セルを形成するように構成することができる。
【００６１】
デュアルコネクティビティとは、ＲＲＣ＿ＣＯＮＮＥＣＴＥＤにある間に非理想バックホールと接続されている少なくとも２つの異なるネットワークポイント（マスターおよびセカンダリーｅＮＢ）により提供される無線リソースを所与のＵＥが消費するオペレーションを意味し得る。
【００６２】
デュアルコネクティビティにおいてマスターｅＮＢは、Ｓ１−ＭＭＥを終結させるｅＮＢであり得、したがって、コアネットワーク（ＣＮ）に向かう移動性アンカーとして作用し得る。デュアルコネクティビティにおいてセカンダリーｅＮＢは、ＵＥのための追加の無線リソースを提供しマスターｅＮＢではないｅＮＢであり得る。
【００６３】
ＵＥがネットワークに１つの標示を送信する場合、この標示はさまざまな情報を含むことができる。例えば、ＵＥからＮＷへの標示には、構成条件が満たされていることの標示、ならびにサービス提供するセルおよび／または近隣セルの測定結果が含まれ得る。標示には同様に、データ活動関連情報、例えば次の伝送が予期されている場合には、例えば次の伝送が１分以内に予期されるか否かは未知である、などの情報が含まれ得る。
【００６４】
さまざまな詳細な実装が可能であり、その中には以下の例が含まれる。例えば、ＲＲＣ接続の再確立のためのトリガー条件は、上述の通り、ＵＥ向けに構成／シグナリングされ得る。その構成は、例えばサービス提供するセルのための再確立トリガーを含むことができる。サービス提供セルは例えば、ＰＣｅｌｌ、ＳＣｅｌｌまたはＵＥによりアグリゲートされつつある異なるｅＮＢのセルを意味し得る。
【００６５】
その構成は、再確立手順をトリガーすると考えられる独自のセルの無線条件閾値を含み得る。この閾値は、より低位の層からのオフセット値およびヒステリシスＱｏｕｔを提供できる。
【００６６】
トリガーは、メディア・アクセス制御（ＭＡＣ）からのランダムアクセス問題標示を含み得る。トリガーは同様に、最大再伝送数に達した旨の無線リンク制御（ＲＬＣ）からの標示をも含み得る。トリガーはさらに、完全性保護障害を含み得る。他のトリガーには、例えば、最後のＸ秒間（Ｘは所定の秒数）にいかなるデータも受信および／または伝送されなかった事実が含まれ得る。
【００６７】
その構成には同様に、サービス提供していないセルの条件に関連付けされた再確立トリガーも含まれ得る。例えばトリガーは、例えば近隣セルがサービス提供セルよりも条件が良くなった時などの近隣セルの無線トリガーであり得る。
【００６８】
サービス提供セルおよび非サービス提供セルトリガーの両方を同時に評価することができる。キャリヤ、周波数、無線アクセス技術（ＲＡＴ）およびセル情報を評価のために使用することができる。この情報はサービス提供セルおよび非サービス提供セルに関係するものであり得る。周波数帯域およびＲＡＴは、例えば、グローバルシステム・フォーモバイルコミュニケーションズ（ＧＳＭ）、エッジ無線アクセスネットワーク（ＧＥＲＡＮ）、ユニバーサル地上無線アクセスネットワーク（ＵＴＲＡＮ）、強化型ＵＴＲＡＮ（Ｅ−ＵＴＲＡＮ）、無線ローカルエリアネットワーク（ＷＬＡＮ）、ＷｉＦｉなどを意味し得る。
【００６９】
ＵＥは、事象条件が満たされた場合その標示を送るように命じられることができる。標示は例えば測定報告であり得る。代替的には、ＵＥは、ＮＷに対する標示無く再確立を実施することができる。標示が送信される場合には、この標示の後、ＵＥはＲＲＣ接続の再確立を実施できる。
【００７０】
代替として、ネットワークは、標示に対する応答として標示の受信確認を送信できる。この確認は、例えば、Ｌ１／ＭＡＣ／ＲＬＣレベルの承認、ＲＲＣレベルの承認またはＵＥのための再確立コマンドであり得る。再確立コマンドは、一部の場合において、どのセル内でＵＥがその再確立を行うべきかを標示することができる。確認には、キャリヤ、周波数、ＲＡＴおよび／または再確立のためのセル情報が含まれ得る。
【００７１】
以上は、いくつかの実施例および例示である。容易に理解できるように別個に記述してきたが、これらを互いに任意の組合せで使用することも可能である。
【００７２】
図１は、ある実施形態に係る方法を例示している。図１に示されている通り、方法には１１０において、ユーザー機器により所定の条件を検出するステップが含まれ得る。所定の条件には、ユーザー機器にサービス提供するセルの条件、無線条件、品質関連条件またはデータ通信条件のうちの少なくとも１つが含まれ得る。代替的には、近隣セルの条件を単独でまたはサービス提供セルとの比較によって使用することができる。無線条件は、上述の通り、１つ以上の閾値の観点から規定可能である。無線条件は、上述の通り例えばＲＳＲＰまたはＲＳＳＩを含むことができる。品質関連条件には、上述の通り、例えばＲＳＲＱ、ＣＱ１などが含まれ得る。データ通信条件は、データ伝送および／または受信活動、例えば、標示に先行する所定の秒数内に発生する活動を意味し得る。
【００７３】
この方法は、検出された所定の条件に基づいて、１２０において、遅延した無線リソース制御接続の再確立のためのネットワーク要素に対する標示の送信を開始するステップまたは、１３０において、無線リソース制御接続の再確立をスタートするステップのうちの少なくとも１つのステップも同様に含むことができる。標示は、所定の条件が満たされたことを示すように構成され得る。標示は、ユーザー機器にサービス提供するセルまたはユーザー機器にサービス提供するセルの近隣セルの少なくとも１つの測定結果を含むことができる。標示はデータ活動関連情報を含むことができる。データ活動関連情報は、例えば所定の秒数内のデータ伝送および／または受信、または最後のデータ伝送および／または受信活動以降の時間量、を含むことができる。
【００７４】
この方法は、また、１２５において、標示が送信された後に、送信された標示の確認またはネットワーク要素からの応答メッセージを待機するステップを含むことができる。無線リソース制御接続の再確立のスタートは、待機ステップ後に実施可能である。
【００７５】
この方法はさらに、１４０において、ネットワーク要素でユーザー機器からの標示を受信するステップを含むことができる。その標示は、上述の通り、ユーザー機器が所定の条件を検出したことを示すことができる。
【００７６】
この方法は、さらに、１５０において、標示に応答してネットワーク要素からの応答メッセージを提供するステップを含むことができる。応答メッセージはユーザー機器に無線リソース制御接続の再確立をスタートさせるように構成され得る。応答メッセージは、標示が適正に送られたことの確認であり得る。
【００７７】
図２は、ある実施形態に係る信号の流れを例示する。図２に示されている通り、ユーザー機器２１０は、基地局、アクセスポイント、進化型ノードＢ（ｅＮＢ）、リレーノード、またはクラスタヘッドなどのネットワーク要素２２０によるサービス提供を受けることができる。ユーザー機器２１０は、２３０において、例えば図１を参照しながら以上で論述した通り、１つの条件を検出することができる。２４０においては、この条件に基づいて、ユーザー機器２１０は標示をネットワーク要素２２０に送ることができる。
【００７８】
２５０において、ネットワーク要素２２０は標示を処理することができ、一方２６０ではユーザー機器２１０は待機する。このとき、処理により、ＲＲＣ接続の再確立が適切であることが示された場合、ネットワーク要素２２０は２７０において応答／確認をユーザー機器２１０に対して送ることができる。
【００７９】
最後に、２８０において、ユーザー機器２１０はＲＲＣ接続の再確立をスタートすることができる。任意には、上述の通り、ユーザー機器２１０は、２３０における条件の検出ステップから２８０におけるＲＲＣ接続の再確立の開始ステップまで直接進むことができる。
【００８０】
図３は、本発明のある実施形態に係るシステムを例示する。図１または２の流れ図の各ブロックおよびその任意の組合せを、ハードウェア、ソフトウェア、ファームウェア、１つ以上のプロセッサおよび／または回路などのさまざまな手段またはその組合せにより実装できるということを理解すべきである。一実施形態において、システムは、複数のデバイス、例えばネットワーク要素３１０およびユーザー機器（ＵＥ）またはユーザーデバイス３２０を含むことができる。システムは、２つ以上のＵＥ３２０および２つ以上のネットワーク要素３１０を含むことができるが、例示を目的としてその各々１つのみが示されている。ネットワーク要素は、アクセスポイント、基地局、ｅＮｏｄｅ  Ｂ（ｅＮＢ）、サーバー、ホストまたは、本明細書中で論述されている他のネットワーク要素のいずれかであり得る。これらのデバイスは各々、それぞれ３１４および３２４として示されている少なくとも１つのプロセッサまたは制御ユニットまたはモジュールを含むことができる。少なくとも１つのメモリが各デバイス内に具備され得、それぞれ３１５および３２５として示されている。メモリは、コンピュータプログラム命令またはその中に含まれているコンピュータコードを含むことができる。１つ以上の送受信機３１６および３２６が具備され得、各デバイスは同様に、それぞれ３１７および３２７として例示されているアンテナも含むことができる。各々１つのアンテナのみが示されているが、各々のデバイスに対して多数のアンテナおよび多重アンテナ要素が具備され得る。例えばこれらのデバイスの他の構成が提供される場合もある。例えばネットワーク要素３１０およびＵＥ３２０は、無線通信に加えて有線通信用に追加で構成され得、そのような場合は、アンテナ３１７および３２７は、アンテナのみに限定されずに、任意の形態の通信ハードウェアを例示していることもある。同様にして、一部のネットワーク要素３１０は単に有線通信のためだけに構成され得、このような場合、アンテナ３１７はネットワークインターフェースカードなどの任意の形態の有線通信ハードウェアを例示し得る。
【００８１】
送受信機３１６および３２６は、各々独立した送信機、受信機、あるいは、送信機および受信機の両方である、または、伝送および受信の両方のために構成され得る１つのユニットまたはデバイスであり得る。（無線部品に関するかぎり）送信機および／または受信機は、同様に、デバイス自体の中ではなく、例えばマスト内に位置設定されている遠隔無線ヘッドとして実装され得る。「液体」または柔軟な無線コンセプトによると、オペレーションおよび機能性は、ノード、ホストまたはサーバーなどの異なるエンティティ内で柔軟に実施され得るということも認識すべきである。換言すると、労力の分割は、ケースバイケースで変動し得る。１つの可能な使用は、ネットワーク要素にローカルコンテンツを送達させることである。サーバー上で実行できるソフトウェア内の仮想アプリケーションとして、１つ以上の機能性を実装することもできる。
【００８２】
ユーザーデバイスまたはユーザー機器３２０は、移動局（ＭＳ）、例えば携帯電話またはスマートホンまたはマルチメディアデバイス、コンピュータ、例えば無線通信ケイパビリティが具備されたタブレット、無線通信ケイパビリティが具備された個人情報端末（ＰＤＡ）、ポータブルメディアプレーヤー、デジタルカメラ、ポケットビデオカメラ、無線通信ケイパビリティが具備されたナビゲーションユニット、またはこれらの任意の組合せであり得る。
【００８３】
例示的実施形態において、ノードまたはユーザーデバイスなどの装置は、図１または２に関連して上述した実施形態を実施するための手段を含むことができる。
【００８４】
プロセッサ３１４および３２４は、任意の計算またはデータ処理デバイス、例えば中央処理ユニット（ＣＰＵ）、デジタル信号プロセッサ（ＤＳＰ）、特定用途向け集積回路（ＡＳＩＣ）、プログラマブル論理デバイス（ＰＬＤ）、フィールドプログラマブルゲートアレイ（ＦＰＧＡ）、デジタルエンハンスト回路、または匹敵するデバイスまたはそれらの組合せにより実施され得る。プロセッサは、単一のコントローラーまたは複数のコントローラーまたはプロセッサとして実装され得る。
【００８５】
ファームウェアまたはソフトウェアについては、実装には、少なくとも１つのチップセット（例えば手順、機能など）のモジュールまたはユニットが含まれ得る。メモリ３１５および３２５は、独立して、任意の好適な記憶デバイス、例えば固定コンピュータ可読媒体であり得る。ハードディスクドライブ（ＨＤＤ）、ランダムアクセスメモリ（ＲＡＭ）、フラッシュメモリ、または他の好適なメモリを使用することができる。メモリは、プロセッサなどの単一の集積回路上に組合せることができ、あるいはそれと別個にすることもできる。さらに、コンピュータプログラム命令をメモリ内に記憶することができ、プロセッサにより処理されるものは、例えば任意の好適なプログラミング言語で書かれたコンパイル型またはインタプリタ型コンピュータプログラムなどの任意の好適な形態のコンピュータプログラムコードであり得る。メモリまたはデータ記憶エンティティは、典型的には内装型であるが、外装型または、例えば追加の記憶容量がサービスプロバイダーから得られる場合のようにこれらの組合せでもあり得る。メモリは固定式でも取外し式でもあり得る。
【００８６】
メモリおよびコンピュータプログラム命令は、特定のデバイス向けのプロセッサを用いて、ネットワーク要素３１０および／またはＵＥ３２０などのハードウェア装置に上述のプロセスのいずれか（例えば図１および２を参照）を実施させるように構成され得る。したがって、ある実施形態において、固定コンピュータ可読媒体は、ハードウェア内で実行された場合に本明細書に記載のプロセスの１つなどのプロセスを実施し得るコンピュータ命令または１つ以上のコンピュータプログラム（例えば追加または更新されたソフトウェアルーチン、アプレットまたはマクロ）を用いて符号化され得る。コンピュータプログラムは、高水準プログラミング言語、例えばｏｂｊｅｃｔｉｖｅ−Ｃ、Ｃ、Ｃ＋＋、Ｃ＃、Ｊａｖａ、など、または低水準プログラミング言語、例えばマシン語またはアセンブラーであり得るプログラミング言語によって符号化され得る。代替的には、本発明のある実施形態は、その全体をハードウェア内で実施することができる。
【００８７】
さらに、図３はネットワーク要素３１０およびＵＥ３２０を含むシステムを例示しているものの、本発明の実施形態は、本明細書中で例示され論述されている通り、他の構成および、追加の要素が関与する構成にも適用可能である。例えば、多数のユーザー機器デバイスおよび多数のネットワーク要素が存在でき、あるいは類似の機能性を提供する他のノード、例えばユーザー機器とアクセスポイントの機能性を組合せるノード、例えばリレーノードが存在することもできる。
【００８８】
ある実施形態は、さまざまな利益または利点を有し得る。例えば、ある実施形態は、ディスラプティブ技術のように仕様に過剰数の変更を求めることなく、小規模パケット伝送向けのＬＴＥに基づく単純で電力効率の良いスキームを提供する。
【００８９】
ある実施形態は、さまざまな利益または利点を有し得る。例えば、ある実施形態において、ＲＲＣ接続の再確立手順は最適化され得る。さらに、ある実施形態においては、ＵＥ挙動は、より予測可能であり得る。他の利益および利点も同様に存在し得る。
【００９０】
当業者であれば、上述の通りの発明が、開示されたものとは異なる構成のハードウェア要素を用いてかつ／または異なる順序のステップで実践可能であることを容易に理解するものである。したがって、本発明は、これらの好ましい実施形態に基づいて記述されてきたが、当業者には、本発明の精神および範囲内にとどまりながら、一定の修正、変更および代替的構造が明らかとなると思われる。
【符号の説明】
【００９１】
３ＧＰＰ：  第３世代パートナーシッププロジェクト
ＤＲＸ：  不連続受信
ｅＮＢ：  エンハンストＮｏｄｅ  Ｂ
Ｅ−ＵＴＲＡ：  進化型ユニバーサル地上無線アクセス
Ｈｅｔ  Ｎｅｔ：  異機種ネットワーク
ＨＯＦ：  ハンドオーバー障害
ＫＰＩ：  キーパフォーマンスインジケータ
ＭＳＥ：  移動性状態推定
ＭＴＣ：  マシン型通信
ＲＬＦ：  無線リンク障害
ＲＲＣ：  無線リソース制御
ＳＩ：  システム情報
ＴＳ：  技術仕様
ＵＥ：  ユーザー機器
【図１】
2017507580.tif 000003
【図２】
2017507580.tif 000004
【図３】
2017507580.tif 000005
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
ユーザー機器により、所定の条件を検出するステップと、
前記検出された所定の条件に基づいて、ネットワーク要素への標示の送信を開始するステップと、
を含む方法であって、
前記標示は、
前記ユーザー機器にサービス提供しているセルの測定結果、
近隣セルの測定結果、
ランダム・アクセス問題の標示、および、
最大再伝送数に達したという無線リンク制御（ＲＬＣ）からの標示、
のうちの少なくとも１つを含む、方法。
【請求項２】
前記検出された所定の条件に基づいて、無線リソース制御接続の再確立をスタートするステップをさらに含む請求項１に記載の方法。
【請求項３】
前記標示が送られた後、送られた標示の確認または前記ネットワーク要素からの応答メッセージを待機するステップをさらに含む請求項１に記載の方法。
【請求項４】
前記所定の条件は、
前記ユーザー機器にサービス提供するセルの条件、
無線条件、
品質関連条件、および、
データ通信条件
のうちの少なくとも１つを含む、請求項１に記載の方法。
【請求項５】
前記無線条件は、
基準信号受信電力、
最後のＸ秒間における伝送および／または受信の有無
のうちの少なくとも１つを含み、
Ｘは所定の秒数である、請求項４に記載の方法。
【請求項６】
前記ランダム・アクセス問題の標示は、メディア・アクセス制御（ＭＡＣ）からのものである、請求項１に記載の方法。
【請求項７】
前記条件は、完全性保護の障害を含む、請求項１に記載の方法。
【請求項８】
前記所定の条件が、二次セル、または、異なるアクセスポイントからリソースを提供するセカンダリーｅＮＢに関連している、請求項１に記載の方法。
【請求項９】
前記所定の条件は、セカンダリーｅＮＢのランダム・アクセス障害を含み、
前記最大再伝送数に達したという無線リンク制御（ＲＬＣ）からの前記標示は、前記セカンダリーｅＮＢからのものである、
請求項１に記載の方法。
【請求項１０】
ネットワーク要素においてユーザー機器からの標示を受信するステップであって、
前記標示は、前記ユーザー機器が所定の条件を検出したことを示すものであり、
前記標示は、
前記ユーザー機器にサービス提供しているセルの測定結果、
近隣セルの測定結果、
ランダム・アクセス問題の標示、および、
最大再伝送数に達したという無線リンク制御（ＲＬＣ）からの標示、
のうちの少なくとも１つを含む、ステップと、
前記標示に応答して前記ネットワーク要素からの応答メッセージを提供するステップであって、前記応答メッセージが、前記ユーザー機器に無線リソース制御接続の再確立をスタートさせるように構成されている、ステップと、
を含む方法。
【請求項１１】
前記所定の条件が、二次セル、または、異なるアクセスポイントからリソースを提供するセカンダリーｅＮＢに関連している、請求項１０に記載の方法。
【請求項１２】
前記所定の条件は、セカンダリーｅＮＢのランダム・アクセス障害を含み、
前記最大再伝送数に達したという無線リンク制御（ＲＬＣ）からの前記標示が、前記セカンダリーｅＮＢからのものである、
請求項１０に記載の方法。
【請求項１３】
プロセッサを用いて、請求項１ないし９のいずれか１項に記載の方法を含む、プロセスを実行する命令を備えるコンピュータ・プログラム。
【請求項１４】
少なくとも１つのプロセッサと、
コンピュータ・プログラム・コードを含む少なくとも１つのメモリと、を含む装置であって、
前記少なくとも１つのメモリおよび前記コンピュータ・プログラム・コードが、前記少なくとも１つのプロセッサを用いて、前記装置に、少なくとも、
ユーザー機器により、所定の条件を検出させ、
前記検出された所定の条件に基づいて、ネットワーク要素への標示の送信を開始させる
ように構成されており、
前記標示は、
前記ユーザー機器にサービス提供しているセルの測定結果、
近隣セルの測定結果、
ランダム・アクセス問題の標示、および、
最大再伝送数に達したという無線リンク制御（ＲＬＣ）からの標示、
のうちの少なくとも１つを含む、装置。
【請求項１５】
前記少なくとも１つのメモリおよび前記コンピュータ・プログラム・コードが、前記少なくとも１つのプロセッサを用いて、前記装置に少なくとも、前記検出された所定の条件に基づいて、無線リソース制御接続の再確立をスタートさせるように構成されている、請求項１４に記載の装置。
【請求項１６】
前記ランダム・アクセス問題の標示が、メディア・アクセス制御（ＭＡＣ）からのものである、請求項１４に記載の装置。
【請求項１７】
前記所定の条件が、二次セル、または、異なるアクセスポイントからリソースを提供するセカンダリーｅＮＢに関連している請求項１４に記載の装置。
【請求項１８】
前記所定の条件は、セカンダリーｅＮＢのランダム・アクセス障害を含み、
前記最大再伝送数に達したという無線リンク制御（ＲＬＣ）からの前記標示が前記セカンダリーｅＮＢからのものである、請求項１４に記載の装置。
【請求項１９】
少なくとも１つのプロセッサと、コンピュータ・プログラム・コードを含む少なくとも１つのメモリと、を含む装置であって、
前記少なくとも１つのメモリおよび前記コンピュータ・プログラム・コードが、前記少なくとも１つのプロセッサを用いて、前記装置に、少なくとも、
ネットワーク要素においてユーザー機器から、該ユーザー機器が所定の条件を検出したことを示す標示を受信させ、
ここで、前記標示は、
前記ユーザー機器にサービス提供しているセルの測定結果、
近隣セルの測定結果、
ランダム・アクセス問題の標示、および、
最大再伝送数に達したという無線リンク制御（ＲＬＣ）からの標示、のうちの少なくとも１つを含み、
前記標示に応答して前記ネットワーク要素から、前記ユーザー機器に無線リソース制御接続の再確立をスタートさせるように構成されている応答メッセージを提供させる
ように構成されている、装置。
【請求項２０】
前記標示は、
前記ユーザー機器にサービス提供しているセルの測定結果、
近隣セルの測定結果、
ランダム・アクセス問題の標示、および、
最大再伝送数に達したという無線リンク制御（ＲＬＣ）からの標示
のうちの少なくとも１つを含む、請求項１９に記載の装置。
【国際調査報告】
2017507580.tif 000006
2017507580.tif 000007
2017507580.tif 000008